(57)【要約】【課題】薬液等がプラグの差し込み口に進入しにくく、かつプラグの着脱操作が容易な電源コンセントを具えた点滴スタンドを提供する。【解決手段】点滴スタンド１は、支柱部３と電源コンセント４とを具備する。電源コンセント４は、ケース５と、それに保持されるコンセント本体６とを具備する。ケース５は、前後方向に接合される第１ないし第３の部材７，８，９を具備する。第１部材７の前壁部１０は、コンセント本体６を前方へ露出させる開口１０ａを有する。第２部材８の周壁部１２は、収容空間１４を形成し、後壁部１３はこれを閉じる。スタッド部１５は、コンセント本体６を前傾斜状態で支持する。第３部材９は、第２部材８の後壁部１３との間に支柱部３を挟持する。前壁部１０の周辺部１０ｂは、コンセント本体６の前面と面一となる前傾斜の斜面を有する。フード部１０ｃは、周辺部１０ｂを囲んで前方へ延出する。【選択図】図７
2017131548.tif 000002
【特許請求の範囲】
【請求項１】
垂直上下方向に起立し輸液パックが吊り下げられる円柱状の支柱部と、この支柱部の軸線に直交する一方向である前方にプラグの差し込み口を向けて支柱部に固定される電源コンセントとを具備する点滴スタンドであって、
前記電源コンセントは、前記支柱部に固定されるケースと、差し込み口をケース前面側に露出させてケース内に保持されるコンセント本体とを具備し、
前記ケースは、前後方向に順次接合して固定される第１ないし第３の３つの部材を具備し、
前記第１部材は、前記コンセント本体の差し込み口を前方へ露出させるようにコンセント本体の前面側外周に嵌合する矩形の開口を有する前壁部と、前壁部の周縁部から後方へ延出してコンセント本体の四囲を囲む周壁部とを具備し、
前記第２部材は、前端面が前記第１部材の周壁部の後端面に接合され後方へ延出して内側に第１部材と協働して前記コンセント本体を収容する収容空間を形成する周壁部と、周壁部の後部において収容空間を閉じる後壁部と、後壁部から収容空間へ突出しコンセント本体が前傾斜状態でねじ止めされるスタッド部とを具備し、
前記第３部材は、前記第２部材の後壁部との間に前記支柱部を挟むように第２部材の後部に接合固定され、前端面が第２部材の後壁部の周縁部に接合され後方へ延出する周壁部と、周壁部の後端を閉じる後壁部とを具備し、
前記第１部材の前壁部は、前記開口を囲む概略矩形の周辺部と、この周辺部を囲んで前方へ延出するフード部とを具備し、
前記周辺部は、前記コンセント本体の前面と面一となる前傾斜の斜面を有し、
前記フード部は、前記周辺部の上辺から前方へ突出する庇部と、庇部に連続して周辺部の左右側辺から前方へ突出する突縁部とを具備することを特徴とする点滴スタンド。
【請求項２】
前記第２部材の後壁部は、前記支柱部の前面側半周に嵌合する嵌合溝部と、この嵌合溝部の両側の垂直平面部とを具備し、
前記垂直平面部には、前記嵌合溝部との間で前記支柱部を締め付けるバンド金具の両端部がねじ止めされ、
前記第３部材は、前記バンド金具の後部を覆うように前記第２部材の後部に接合固定されることを特徴とする請求項１に記載の点滴スタンド。
【請求項３】
前記フード部の庇部の前縁には、上方へ立ち上がる水切り突条が形成されることを特徴とする請求項１又は２に記載の点滴スタンド。
【請求項４】
垂直上下方向に起立し輸液パックが吊り下げ具を介して吊り下げられる円柱状の支柱部に、当該支柱部の軸線に直交する一方向である前方にプラグの差し込み口を向けて固定される電源コンセントであって、
前記支柱部に固定されるケースと、差し込み口をケースの前面側に露出させてケース内に保持されるコンセント本体とを具備し、
前記ケースは、前後方向に順次接合して固定される第１ないし第３の３つの部材を具備し、
前記第１部材は、前記コンセント本体の差し込み口を前方へ露出させるようにコンセント本体の前面側外周に嵌合する矩形の開口を有する前壁部と、前壁部の周縁部から後方へ延出してコンセント本体の四囲を囲む周壁部とを具備し、
前記第２部材は、前端面が前記第１部材の周壁部の後端面に接合され後方へ延出して内側に第１部材と協働して前記コンセント本体を収容する収容空間を形成する周壁部と、周壁部の後部において収容空間を閉じる後壁部と、後壁部から収容空間へ突出しコンセント本体が前傾斜状態でねじ止めされるスタッド部とを具備し、
前記第３部材は、前記第２部材の後壁部との間に前記支柱部を挟持するように第２部材の後部に接合固定され、前端面が第２部材の後壁部の周縁部に接合され後方へ延出する周壁部と、周壁部の後端を閉じる後壁部とを具備し、
前記第１部材の前壁部は、前記開口を囲む概略矩形の周辺部と、この周辺部を囲んで前方へ延出するフード部とを具備し、
前記周辺部は、前記コンセント本体の前面と面一となる前傾斜の斜面を有し、
前記フード部は、前記周辺部の上辺から前方へ突出する庇部と、庇部に連続して周辺部の左右側辺から前方へ突出する突縁部とを具備することを特徴とする点滴スタンド用電源コンセント。
【発明の詳細な説明】
【技術分野】
【０００１】
本発明は、病院、介護施設、自宅等において、患者に点滴を行う際等に用いられる点滴スタンド、及び、点滴スタンド用の電源コンセントに関するものである。
【背景技術】
【０００２】
点滴スタンドは、床面上に載置される脚部と、脚部から上下方向に延出する支柱部とを有し、支柱部の上端部に輸液吊り下げ具が取り付けられるのが一般的構成である。このような基本構成を有する点滴スタンド（シリンジポンプ搬送カート）であって、電源コンセントを具えたものが特許文献1に記載されている。このシリンジポンプ搬送カートにおいては、プラグを差し込むための差込口が鉛直下方に向けて配置されると共に、当該差込口を全周に渡って取り囲むように差込口よりも更に下方にまで延在したスカート部を備える。コンセントボックスのプラグ差込口を鉛直下方に向けて配置したことによって、薬液等が飛散しても直接差込口に付着することや遡って侵入することがなく、またスカート部により薬液を遮って、コンセントボックスへの降りかかりを阻止することができる。これにより、薬液等がコンセントボックスへ流れ込んでショートを起こすのを防止するものである。
【先行技術文献】
【特許文献】
【０００３】
【特許文献１】特開２０１４−１０４０１１号公報
【発明の概要】
【発明が解決しようとする課題】
【０００４】
上記従来のシリンジポンプ搬送カートにおいては、プラグの差し込み口が下方を向いているので、着脱操作が著しく面倒になるという問題点がある。
したがって、本発明の点滴スタンドは、薬液等がコンセントの差し込み口に進入しにくく、かつプラグの着脱操作が容易なものを提供することを目的としている。
【課題を解決するための手段】
【０００５】
以下、添付図面の符号を参照して説明するが、本発明はこれに限定されるものではない。
上記課題を解決するための、本発明の点滴スタンド１は、垂直上下方向に起立し輸液パックＰが吊り下げ具を介して吊り下げられる円柱状の支柱部３と、この支柱部３の軸線に直交する方向である前方にプラグの差し込み口６ａを向けて支柱部３に固定される電源コンセント４とを具備する点滴スタンドである。電源コンセント４は、支柱部３に固定されるケース５と、差し込み口６ａをケース５の前面側に露出させてケース５内に保持されるコンセント本体６とを具備する。ケース５は、前後方向に順次接合して固定される第１ないし第３の３つの部材７，８，９を具備する。第１部材７は、前壁部１０と、周壁部１１とを具備する。前壁部１０は、コンセント本体６の差し込み口６ａを前方へ露出させるように、コンセント本体６の前面側外周に嵌合する矩形の開口１０ａを有する。周壁部１１は、前壁部１０の周縁部から後方へ延出してコンセント本体６の四囲を囲む。第２部材は、周壁部１２と、後壁部１３と、スタッド部１５とを具備する。周壁部１２は、前端面が第１部材７の周壁部１１の後端面に接合され、後方へ延出して内側に、第１部材７と協働してコンセント本体６を収容する収容空間１４を形成する。後壁部１３は、周壁部１２の後部において収容空間１４を閉じる。スタッド部１５は、後壁部１３から収容空間１４へ突出し、コンセント本体６が前傾斜状態でねじ止めされる。第３部材９は、第２部材８の後壁部１３との間に支柱部３を挟持するように第２部材８の後部に接合固定され、周壁部１６と、後壁部１７とを具備する。周壁部１６は、前端面が第２部材８の後壁部１３の周縁部に接合され後方へ延出する。後壁部１７は、周壁部１６９の後端を閉じる。さらに、第１部材７の前壁部１０は、概略矩形の周辺部１０ｂと、フード部１０ｃとを具備する。周辺部１０ｂは、水平の上辺及び下辺と、上下方向の左右側辺に囲まれ、開口１０ａを囲んで、コンセント本体６の前面と面一となる前傾斜の斜面を有する。フード部１０ｃは、周辺部１０ｂの上辺から前方へ突出する庇部１０ｄと、庇部１０ｄに連続して周辺部１０ｂの左右側辺から前方へ突出する突縁部１０ｅとを具備し、周辺部１０ｂを囲んで前方へ延出する。
【発明の効果】
【０００６】
本発明の点滴スタンド１は、電源コンセント４におけるプラグの差し込み口６ａに薬液等が浸入しにくく、かつプラグの着脱操作が容易である。
【図面の簡単な説明】
【０００７】
【図１】本発明に係る点滴スタンドの斜視図である。
【図２】図１の点滴スタンドの電源コンセントの正面図である。
【図３】図２の電源コンセントの背面図である。
【図４】図２の電源コンセントの側面図である。
【図５】図２の電源コンセントの平面図である。
【図６】図２の電源コンセントの底面図である。
【図７】図２の電源コンセントの断面図である。
【図８】ケースの第２部材の正面図である。
【図９】ケースの第２部材の背面図である。
【発明を実施するための形態】
【０００８】
図面を参照して本発明の実施の形態を説明する。
図1において、点滴スタンド１は、脚部２と、脚部２から垂直上下方向に起立し輸液パックＰが吊り下げ具を介して吊り下げられる円柱状の支柱部３と、この支柱部３の軸線に直交する方向である前方にプラグの差し込み口６ａを向けて支柱部３に固定される電源コンセント４とを具備する。
【０００９】
電源コンセント４は、支柱部３に固定される概略縦長直方体状のケース５と、差し込み口６ａをケース５の前面側に露出させてケース５内に保持される上下２つのコンセント本体６とを具備する。
【００１０】
ケース５は、前後方向に順次接合して固定されるいずれも合成樹脂製の第１ないし第３の３つの部材７，８，９を具備し、コンセント本体６に電気的に接続されるコードを挿通する導出孔５ａを有する。
【００１１】
ケースの第１部材７は、前壁部１０と、前壁部１０の周縁部から後方へ延出する周壁部１１とを具備する。前壁部１０は、コンセント本体６の差し込み口６ａを前方へ露出させるように、コンセント本体６の前面側外周に嵌合する上下２つの矩形の開口１０ａを有する。周壁部１１は、コンセント本体６の四囲を囲んでこれを覆っている。
【００１２】
第２部材８は、周壁部１２と、周壁部１２の後部の後壁部１３とを具備する。周壁部１２は、前端面が第１部材７の周壁部１１の後端面に接合され、後方へ延出し、内側に第１部材と協働してコンセント本体６を収容する収容空間１４を形成する。後壁部１３は、周壁部１２の後部において、収容空間１４を閉じる。後壁部１３の前面から収容空間１４へ複数のスタッド部１５が突出する。スタッド部１５の前端にはコンセント本体６がねじ止めされる。スタッド部１５は、上下の各コンセント本体６に対応して上下に２組、４つずつ形成され、各組の上方の２つが下方の２つより前方へ長く延出している。したがって、コンセント本体６は、それぞれ前傾斜状態で、スタッド部１５に支持される。第１部材７と第２部材８の下部に、導出孔５ａが形成され、各コンセント本体６に電気的に接続された電源コード１９が、ここから外方へ引き出される。
【００１３】
第３部材９は、第２部材８の後壁部１３との間に支柱部３を挟持するように第２部材８の後部に接合固定され、周壁部１６と後壁部１７とを具備する。周壁部１６は、前端面が第２部材の後壁部１３の周縁部に接合され、後方へ延出するする。後壁部１７は、周壁部１６の後端を閉じている。
【００１４】
第１部材７の前壁部１０は、開口１０ａを囲む概略矩形の周辺部１０ｂと、この周辺部１０ｂを囲んで前方へ延出するフード部１０ｃとを具備する。周辺部１０ｂは、コンセント本体６の前面と面一となる前傾斜の斜面を有する。フード部１０ｃは、周辺部１０ｂの上辺から前方へ突出する庇部１０ｄと、庇部１０ｄに連続して周辺部１０ｂの左右側辺から前方へ突出する突縁部１０ｅとを具備する。庇部１０ｄの前縁には、上方へ立ち上がる水切り突条１０ｆが形成される。
【００１５】
第２部材８の後壁部１３は、支柱部３の前面側半周に嵌合する嵌合溝部１３ａと、この嵌合溝部１３ａの両側の垂直平面部１３ｂとを具備する。垂直平面部１３ｂには、嵌合溝部１３ａとの間で支柱部３を締め付けるバンド金具１８の両端部がねじ止めされる。第３部材９は、バンド金具１８の後部を覆うように第２部材８の後部に接合固定される。
【００１６】
この実施形態の輸液スタンド１は、コンセント本体６の前面露出部の上方と左右両側方がフード部１０ｃにより囲まれており、かつコンセント本体６の前面とこれを囲むケース５の周辺部１０ｂが前傾斜しているので、薬液等がコンセントの差し込み口６ａに降りかかりにくく、またケース５の第２部材８により、コンセント本体６を収容する空間１４が支柱部３と隔絶されているから、支柱３を伝って流下する薬液等が収容空間１４内へ浸入することがない。差し込み口６ａが前方を向いているので、プラグの着脱操作が容易である。電源コンセント４は支柱への締結部が外部へ露出することなく、体裁よく支柱部３に固着される。
【符号の説明】
【００１７】
１      輸液スタンド
２      脚部
３      支柱部
４      電源コンセント
５      ケース
５ａ    電源コード導出孔
６      コンセント本体
６ａ    プラグの差し込み口
７      ケースの第１部材
８      ケースの第２部材
９      ケースの第３部材
１０    前壁部
１０ａ  開口
１０ｂ  周辺部
１０ｃ  フード部
１０ｄ  庇部
１０ｅ  突縁部
１０ｆ  水切り突条
１１    周壁部
１２    周壁部
１３    後壁部
１３ａ  嵌合溝部
１４    収納空間
１５    スタッド部
１６    周壁部
１７    後壁部
１８    バンド金具
１９    電源コード
【図１】
2017131548.tif 000003
【図２】
2017131548.tif 000004
【図３】
2017131548.tif 000005
【図４】
2017131548.tif 000006
【図５】
2017131548.tif 000007
【図６】
2017131548.tif 000008
【図７】
2017131548.tif 000009
【図８】
2017131548.tif 000010
【図９】
2017131548.tif 000011
【手続補正書】
【提出日】平成29年4月5日(2017.4.5)
【手続補正１】
【補正対象書類名】特許請求の範囲
【補正対象項目名】全文
【補正方法】変更
【補正の内容】
【特許請求の範囲】
【請求項１】
垂直上下方向に起立し輸液パックが吊り下げられる円柱状の支柱部と、この支柱部の軸線に直交する一方向である前方にプラグの差し込み口を向けて支柱部に固定される電源コンセントとを具備する点滴スタンドであって、
前記電源コンセントは、前記支柱部に固定されるケースと、差し込み口をケース前面側に露出させてケース内に保持されるコンセント本体とを具備し、
前記ケースは、前後方向に順次接合して固定される第１ないし第３の３つの部材を具備し、
前記第１部材は、合成樹脂で一体成形され、前記コンセント本体の差し込み口を前方へ露出させるようにコンセント本体の前面側外周に嵌合する矩形の開口を有する前壁部と、前壁部の周縁部から後方へ延出してコンセント本体の四囲を囲む周壁部とを具備し、
前記第２部材は、合成樹脂で一体成形され、前端面が前記第１部材の周壁部の後端面に接合され後方へ延出して内側に第１部材と協働して前記コンセント本体を収容する収容空間を形成する周壁部と、周壁部の後部において収容空間を閉じる後壁部と、後壁部から収容空間へ突出しコンセント本体が前傾斜状態でねじ止めされるスタッド部とを具備し、
前記第３部材は、合成樹脂で一体成形され、前記第２部材の後壁部との間に前記支柱部を挟むように第２部材の後部に接合固定され、前端面が第２部材の後壁部の周縁部に接合され表面段差なく後方へ延出する周壁部と、周壁部の後端を閉じる後壁部とを具備し、
前記第１部材の前壁部は、前記開口を囲む概略矩形の周辺部と、この周辺部を囲んで前方へ延出するフード部とを具備し、
前記周辺部は、前記コンセント本体の前面と面一となる前傾斜の斜面を有し、
前記フード部は、前記周辺部の上辺から前方へ突出する庇部と、庇部に連続して周辺部の左右側辺から前方へ突出する突縁部とを具備し、
前記第２部材の後壁部は、前記支柱部の前面側半周に嵌合するように前方へ窪んだ嵌合溝部と、この嵌合溝部の両側の垂直平面部とを具備し、
前記垂直平面部には、前記嵌合溝部との間で前記支柱部を締め付けるバンド金具の両端部がねじ止めされ、
前記第３部材は、前記バンド金具の後部を前記バンド金具と共に覆うように前記第２部材の後部に接合固定されることを特徴とする点滴スタンド。
【請求項２】
前記フード部の庇部の前縁には、上方へ立ち上がる水切り突条が形成されることを特徴とする請求項１に記載の点滴スタンド。
【請求項３】
垂直上下方向に起立し輸液パックが吊り下げ具を介して吊り下げられる円柱状の支柱部に、当該支柱部の軸線に直交する一方向である前方にプラグの差し込み口を向けて固定される電源コンセントであって、
前記支柱部に固定されるケースと、差し込み口をケースの前面側に露出させてケース内に保持されるコンセント本体とを具備し、
前記ケースは、前後方向に順次接合して固定される第１ないし第３の３つの部材を具備し、
前記第１部材は、合成樹脂で一体成形され、前記コンセント本体の差し込み口を前方へ露出させるようにコンセント本体の前面側外周に嵌合する矩形の開口を有する前壁部と、前壁部の周縁部から後方へ延出してコンセント本体の四囲を囲む周壁部とを具備し、
前記第２部材は、合成樹脂で一体成形され、前端面が前記第１部材の周壁部の後端面に接合され後方へ延出して内側に第１部材と協働して前記コンセント本体を収容する収容空間を形成する周壁部と、周壁部の後部において収容空間を閉じる後壁部と、後壁部から収容空間へ突出しコンセント本体が前傾斜状態でねじ止めされるスタッド部とを具備し、
前記第３部材は、合成樹脂で一体成形され、前記第２部材の後壁部との間に前記支柱部を挟持するように第２部材の後部に接合固定され、前端面が第２部材の後壁部の周縁部に接合され表面段差なく後方へ延出する周壁部と、周壁部の後端を閉じる後壁部とを具備し、
前記第１部材の前壁部は、前記開口を囲む概略矩形の周辺部と、この周辺部を囲んで前方へ延出するフード部とを具備し、
前記周辺部は、前記コンセント本体の前面と面一となる前傾斜の斜面を有し、
前記フード部は、前記周辺部の上辺から前方へ突出する庇部と、庇部に連続して周辺部の左右側辺から前方へ突出する突縁部とを具備し、
前記第２部材の後壁部は、前記支柱部の前面側半周に嵌合するように前方へ窪んだ嵌合溝部と、この嵌合溝部の両側の垂直平面部とを具備し、
前記垂直平面部には、前記嵌合溝部との間で前記支柱部を締め付けるバンド金具の両端部がねじ止めされ、
前記第３部材は、前記バンド金具の後部を前記バンド金具と共に覆うように前記第２部材の後部に接合固定されることを特徴とする点滴スタンド用電源コンセント。